(57)【要約】【課題】操作の順調性を向上するオープンエンドレンチを提供する。【解決手段】駆動ヘッド１１０及びハンドル１２０を備える。駆動ヘッド１１０は、ハンドル１２０の一端に接続されており、第１顎部１１１、第２顎部１１２、第１斜面１１３及び第２斜面１１４を有する。第１顎部１１１及び第２顎部１１２はそれぞれ駆動ヘッド１１０の前端の両側に設置されており、その間に被駆動部材を駆動する開口１１５を有する。第１斜面１１３は、駆動ヘッド１１０の一方の面に形成されており、駆動ヘッド１１０の中央から駆動ヘッド１１０の一方の縁部Ｓ１に向かうにしたがって傾斜している。第２斜面１１４は、駆動ヘッド１１０の一方の面に形成され、かつ第１斜面１１３に接している。第２斜面１１４は、駆動ヘッド１１０の中央から駆動ヘッド１１０の他方の縁部Ｓ２に向かうにしたがって傾斜している。第１斜面１１３と第２斜面１１４とは傾斜方向が異なる。【選択図】図１
2014180752.tif 000002
【特許請求の範囲】
【請求項１】
ハンドルと、
前記ハンドルの一端に接続され、被駆動部材に合わせてトルクを発生する駆動ヘッドと、
を備え、
前記駆動ヘッドは、
前端の両側に形成され、所定距離を置いて開口を形成する２つの顎部と、
前記駆動ヘッドの一方の面に形成され、前記駆動ヘッドの中央部から前記駆動ヘッドの縁部に向かうにしたがって傾斜し、片方の前記顎部のみに形成されており、前記ハンドルと前記駆動ヘッドとの接続部から前記顎部の前端に向かうにしたがって傾斜している斜面と、を有し、
前記斜面と前記被駆動部材が設けられている表面との接触面にオフセットトルク中心を発生することを特徴とするオープンエンドレンチ。
【請求項２】
前記斜面は、右利きの者が前記ハンドルを時計回りに回す場合、前記右利きの者に接近するよう前記顎部に形成されている請求項１に記載のオープンエンドレンチ。
【請求項３】
前記斜面は、左利きの者が前記ハンドルを逆時計回りに回す場合、前記左利きの者に接近するよう前記顎部に形成されている請求項１に記載のオープンエンドレンチ。
【請求項４】
ハンドルと、
前記ハンドルの一端に接続され、被駆動部材に合わせてトルクを発生する駆動ヘッドと、を備え、
前記駆動ヘッドは、
前端の一方の片側に形成されている第１顎部と、
前端の他方の片側に形成されており、かつ前記第１顎部と所定距離を置いて開口を形成する第２顎部と、
一方の面に形成され、の中央部から縁部に向かうにしたがって傾斜し、第１傾斜角度を有し、前記ハンドルとの接続部から前記第１顎部の前端に向かうにしたがって傾斜し、第３傾斜角度を有する第１斜面と、
一方の面に形成され、前記第１斜面に接しており、中央部から縁部に向かうにしたがって傾斜し、第２傾斜角度を有し、前記ハンドルとの接続部から前記第２顎部の前端に向かうにしたがって傾斜し、第４傾斜角度を有する第２斜面と、を有し、
前記第１斜面は前記被駆動部材が設けられている表面に接触して第１トルク中心を発生し、前記第２斜面は前記被駆動部材が設けられている表面に接触して第２トルク中心を発生し、使用中において、前記第１トルク中心から前記第２トルク中心へ移動することを特徴とするオープンエンドレンチ。
【請求項５】
前記第１傾斜角度は０.５度〜３０度であることを特徴とする請求項４に記載のオープンエンドレンチ。
【請求項６】
前記第２傾斜角度は０.５度〜３０度であることを特徴とする請求項４に記載のオープンエンドレンチ。
【請求項７】
前記第１斜面の傾斜方向と前記第２斜面の傾斜方向とが異なり、前記第３傾斜角度と前記第４傾斜角度とが異なることを特徴とする請求項４に記載のオープンエンドレンチ。
【請求項８】
前記第３傾斜角度と前記第４傾斜角度とは０.６度の差を有することを特徴とする請求項７に記載のオープンエンドレンチ。
【請求項９】
前記駆動ヘッドの一方の縁部および他方の縁部の一方の端部を通る面と、前記駆動ヘッドの一方の縁部および他方の縁部の他方の端部を通る面との間に第５傾斜角度を有し、前記第５傾斜角度は０.５度〜３０度にある請求項４に記載のオープンエンドレンチ。
【発明の詳細な説明】
【技術分野】
【０００１】
本発明は、レンチに関し、特に、ヘッド部に２つの互いに異なる斜面を有するオープンエンドレンチに関する。
【背景技術】
【０００２】
オープンエンドレンチは、日常生活においてよく使われている補助ハンドツールである。通常のオープンエンドレンチは、少なくとも１つの駆動ヘッドと１つのハンドルとが接続されている。駆動ヘッドは２つの顎部を有し、２つの顎部の間には被駆動部材を回すための開口を有する。顎部の開口を利用して被駆動部材を回して動かす時に、顎部は、被駆動部材にねじり力をかけ、被駆動部材を回転させ締め付ける又は緩める効果に達成する。
【０００３】
平面上におけるネジを締め付ける又は緩めることを達成するために、オープンエンドレンチの駆動ヘッドには当接面を有する。当接面は被駆動部材の平面に当接してトルク中心を形成する。従来の技術において、当接面の上に斜面が設けられている技術が開示されている。この斜面を平面に当接させ、オープンエンドレンチの全体を平面と所定角度で傾斜させることにより、手に十分な把握空間を提供し把握しやすくすることができる。しかしながら、斜面の位置及び角度に制限されて、上記のオープンエンドレンチの当接面は依然として平面に近づきすぎるので、作業エリアを広くする及び把握しやすくする効果が限られる。
【０００４】
また、斜面を駆動ヘッドにおける異なる位置に設置したものもあるが、斜面によって把握空間を広くする及び把握しやすくするものにすぎない。いずれにしても、上記に示す斜面を用いる方式は、依然としてその斜面の位置及び角度の設置に制限されるため、その効果が制限される。
【先行技術文献】
【特許文献】
【０００５】
【特許文献１】特開２００３−３１１６３９号公報
【発明の概要】
【発明が解決しようとする課題】
【０００６】
本発明は、上述の問題に鑑みてなされたものであり、その目的は、操作の順調性を向上するオープンエンドレンチを提供することにある。
【課題を解決するための手段】
【０００７】
本発明の１つの態樣によるオープンエンドレンチは、ハンドルと、ハンドルの一端に接続され被駆動部材に合わせてトルクを発生する駆動ヘッドとを備える。駆動ヘッドは、２つの顎部、および、斜面を有する。２つの顎部は、駆動ヘッドの前端の両側に形成され、所定距離を置いて開口を形成する。斜面は、駆動ヘッドの一方の面に形成され、駆動ヘッドの中央から駆動ヘッドの縁部に向かうにしたがって傾斜し、片方の顎部のみに形成されており、ハンドルと駆動ヘッドとの接続部から顎部の前端に向かうにしたがって傾斜している。斜面と被駆動部材が設けられている表面との接触面にオフセットトルク中心を形成する。
駆動ヘッドに２つの互いに異なる斜面が設置されている。この２つの互いに異なる斜面は、傾斜角度及び傾斜方向がそれぞれ異なる。よって、使用者が手の把握姿勢の限界までオープンエンドレンチを回した時、２つの互いに異なる斜面によってトルク中心が転移される。使用者は、手の把握姿勢を修正して、人間力学に合致させるようにすることができる。これにより操作の順調性を向上し、かつ回し回数を減らすことができる。
【０００８】
また、斜面は、右利きの者がハンドルを時計回りに回す場合、右利きの者に接近するよう顎部に形成され、或いは、左利きの者がハンドルを逆時計回りに回す場合、左利きの者に接近するよう他の顎部に形成されているものである。
【０００９】
本発明の別の態樣によるオープンエンドレンチは、ハンドルと、ハンドルの一端に接続され被駆動部材に合わせてトルクを発生する駆動ヘッドとを備える。駆動ヘッドは、第１顎部、第２顎部、第１斜面、および第２斜面を有する。第１顎部は、駆動ヘッドの前端の一方の片側に形成されている。第２顎部は、駆動ヘッドの前端の他方の片側に形成され、かつ第１顎部とある距離を置いて開口を形成する。第１斜面は、駆動ヘッドの一方の面に形成され、駆動ヘッドの中央から駆動ヘッドの縁部に向かうにしたがって傾斜し、かつ第１顎部に斜めに接し、第１傾斜角度を有するとともに、ハンドルと駆動ヘッドとの接続部から第１顎部の前端に向かうにしたがって傾斜し、第３傾斜角度を有する。第２斜面は、駆動ヘッドの一方の面に形成されており、第１斜面に接し、駆動ヘッドの中央から駆動ヘッドの他方の縁部に向かうにしたがって傾斜、しかつ第２顎部に斜めに接し、第２傾斜角度を有するとともに、ハンドルと駆動ヘッドとの接続部から第２顎部の前端に向かうにしたがって傾斜し、第４傾斜角度を有する。第１斜面は被駆動部材が設けられている表面に接触して第１トルク中心を発生し、第２斜面は被駆動部材が設けられている表面に接触して第２トルク中心を発生し、使用中において、第１トルク中心から第２トルク中心へ移動して、オフセットトルク中心を形成する。
【００１０】
また、第１傾斜角度は０．５度〜３０度にあり、第２傾斜角度は０．５度〜３０度にある。なお、第１斜面の傾斜方向と第２斜面の傾斜方向とは異なり、かつ第３傾斜角度と第４傾斜角度とは０．６度の差を有する。また、駆動ヘッドの一方の縁部および他方の縁部の一方の端部を通る面と、駆動ヘッドの一方の縁部および他方の縁部の他方の端部を通る面との間に第５傾斜角度を有し、第５傾斜角度は０．５度〜３０度にある。
【図面の簡単な説明】
【００１１】
【図１】本発明の一実施形態によるオープンエンドレンチを示す平面図である。
【図２】図１のＡ−Ａ線断面図である。
【図３】図１のＢ−Ｂ線断面図である。
【図４】図１のＣ−Ｃ線断面図である。
【図５】本発明の一実施形態によるオープンエンドレンチの正面図である。
【図６Ａ】本発明の一実施形態によるオープンエンドレンチの使用状態を示す模式図である。
【図６Ｂ】本発明の一実施形態によるオープンエンドレンチの使用状態を示す模式図である。
【発明を実施するための形態】
【００１２】
（一実施形態）
図１は本発明の一実施形態によるオープンエンドレンチ１００を示す平面図である。オープンエンドレンチ１００は、駆動ヘッド１１０及びハンドル１２０を備える。駆動ヘッド１１０は、ハンドル１２０の一端に接続されており、第１顎部１１１、第２顎部１１２、第１斜面１１３及び第２斜面１１４を有する。第１顎部１１１及び第２顎部１１２はそれぞれ駆動ヘッド１１０の前端の両側に設置されており、その間に被駆動部材を駆動する開口１１５を有する。第１斜面１１３は、駆動ヘッド１１０の上側に形成されており、駆動ヘッド１１０の中央から駆動ヘッド１１０の一方の縁部Ｓ１に向かうにしたがって傾斜している。第２斜面１１４は、駆動ヘッド１１０の上側に形成され、かつ第１斜面１１３に接している。第２斜面１１４は、駆動ヘッド１１０の中央から駆動ヘッド１１０の他方の縁部Ｓ２に向かうにしたがって傾斜している。第１斜面１１３と第２斜面１１４とは傾斜方向が異なる。
【００１３】
図２は図１のＡ−Ａ線断面図である。図２に示すように、第１斜面１１３は第１傾斜角度θ１を有し、第２斜面１１４は第２傾斜角度θ２を有する。第１傾斜角度θ１は０．５度〜３０度であり、第２傾斜角度θ２は０．５度〜３０度である。これにより、所要の操作空間を小さくすることができ、被駆動部材が平らでない表面に設けられた場合であっても表面に合わせて操作することができる。そして、駆動ヘッド１１０は、両縁部の高さｈ１、ｈ２が互いに異なるように形成されている。本実施例では、駆動ヘッド１１０は、ｈ２がｈ１より高くなるよう形成されている。よって、縁部Ｓ１および縁部Ｓ２の一方の端部とを通る平面と、縁部Ｓ１および縁部Ｓ２の他方の端部とを通る平面とは第５傾斜角度θ５を形成する。第５傾斜角度θ５は０．５度〜３０度であってもよく、各種の裝置の表面への合わせてもよい。
【００１４】
図３は図１のＢ−Ｂ線断面図である。図３および図２にしめすように、第１斜面１１３は、駆動ヘッド１１０の縁部Ｓ１に向かうにしたがって傾斜し、かつ第１顎部１１１の前端に向かうにしたがって傾斜している。図３にしめすように、第１斜面１１３は、第１顎部１１１の前端に向かうにしたがって傾斜して第３傾斜角度θ３を形成する。第３傾斜角度θ３によって、使用者が異なる表面に合わせて把握姿勢を調整することができ、付勢の順調性を向上することができる。
【００１５】
図４は図１のＣ−Ｃ線断面図である。図４および図２に示すように、第２斜面１１４は、駆動ヘッド１１０の縁部Ｓ２に向かうにしたがって傾斜し、かつ第２顎部１１２に向かうにしたがって傾斜している。図４にしめすように、第２斜面１１４は、第２顎部１１２の前端に向かうにしたがって傾斜して第４傾斜角度θ４を形成する。第４傾斜角度θ４によって、使用者が異なる表面に合わせて把握姿勢を調整することができ、付勢の順調性を向上することができる。そして、第３傾斜角度θ３と第４傾斜角度θ４とは０．６度の差を有してもよい。これにより、オープンエンドレンチ１００と被駆動部材との接触面との適合の度合を高め、付勢の効率をよりよくすることができる。
【００１６】
図５はオープンエンドレンチ１００の正面図である。図５示すように、第１斜面１１３及び第２斜面１１４は駆動ヘッド１１０の上側に形成されている。第１斜面１１３は駆動ヘッド１１０の縁部Ｓ１に向かうにしたがって傾斜するとともに第１顎部１１１の前端に向かうにしたがって傾斜し、第２斜面１１４は駆動ヘッド１１０の縁部Ｓ２に向かうにしたがって傾斜するとともに第２顎部１１２の前端に向かうにしたがって傾斜している。このような多重な傾斜角度を設置する目的は、オープンエンドレンチ１００が各種の異なる表面に適用することができ、かつ使用者が状況に応じて各種の異なる把握姿勢を調整することができ、付勢の順調性を増加するようにすることにある。
【００１７】
図６Ａ及び図６Ｂはオープンエンドレンチ１００の使用状態を示す模式図である。まず、第１斜面１１３は、被駆動部材が設けられている表面と当接し第１トルク中心Ｃ１を形成する。使用者により続いてオープンエンドレンチ１００を回していくと、手の把握姿勢は徐々に制限されるようになる。この時に、第１斜面１１３の隣に第１斜面１１３と傾斜角度及び傾斜方向が異なる第２斜面１１４が接しているため、使用者は付勢の姿勢が人体の限界に達したと気付いた時に、把握姿勢を変えて第２斜面１１４と被駆動部材が設けられている平面とを当接させる。この時に第２トルク中心Ｃ２（オフセットトルク中心）を形成する。上記の過程の中で、第１斜面１１３及び第２斜面１１４を有することで、使用者は、第１トルク中心Ｃ１と第２トルク中心Ｃ２との間の転移に合わせて、把握姿勢を変更することで、手の把握姿勢が人体の限界に制限されなくなり、回し時間が延長し、さらに回し回数を減らし、付勢をより均一にすることができる。本実施形態では、締め付け過程を例として説明したが、緩め過程においても、同様な効果を有する。
【００１８】
本実施形態では、オープンエンドレンチ１００は、駆動ヘッド１１０の一方の面に２つの互いに異なる斜面１１３、１１４を有する。第２斜面１１４は、第１斜面１１３に接し、かつ第１斜面１１３と互いに異なる傾斜角度と傾斜方向を有する。従来のオープンエンドレンに比べ、本実施形態のオープンエンドレンチ１００は、手の把握姿勢が人体の限界に達した時に、第１斜面１１３と第２斜面１１４とが交替して当接することによって、一回の回し時間を延長することができ、かつ把握姿勢の変更によって付勢の順調性を向上することができ、付勢をより均一にすることができる。
【００１９】
本発明の実施形態を前述の通りに開示したが、これは本発明を限定するものではなく、当業者であれば、本発明の精神と範囲から逸脱しない限り、多様の変更や修正を加えることができる。従って、本発明の保護範囲は、特許請求の範囲で指定した内容を基準とする。
【符号の説明】
【００２０】
１００  オープンエンドレンチ、
１１０  駆動ヘッド、
１１１  第１顎部、
１１２  第２顎部、
１１３  第１斜面、
１１４  第２斜面、
１２０  ハンドル、
θ１  第１傾斜角度、
θ２  第２傾斜角度、
θ３  第３傾斜角度、
θ４  第４傾斜角度、
θ５  第５傾斜角度、
Ｓ１  縁部、
Ｓ２  縁部、
ｈ１  高さ、
ｈ２  高さ、
Ｃ１  第１トルク中心、
Ｃ２  第２トルク中心。
【図１】
2014180752.tif 000003
【図２】
2014180752.tif 000004
【図３】
2014180752.tif 000005
【図４】
2014180752.tif 000006
【図５】
2014180752.tif 000007
【図６Ａ】
2014180752.tif 000008
【図６Ｂ】
2014180752.tif 000009